【手続補正書】
【提出日】平成24年12月26日(2012.12.26)
【手続補正１】
【補正対象書類名】特許請求の範囲
【補正対象項目名】全文
【補正方法】変更
【補正の内容】
【特許請求の範囲】
【請求項１】
平面をなす３つ以上の異なる視点から被写体を撮像した画像データを記憶する記憶手段と、
前記記憶手段に記憶された該画像データに基づいて、左眼用画像と右眼用画像を表示する表示部と、
該表示部を閲覧する閲覧者の左右の眼を結ぶ線と該表示部との相対的な傾きを検出する視点検出部と、
該相対的な傾きに基づいて、該画像データから左眼用画像と右眼用画像を生成する表示制御部とを備える立体画像表示装置。
【請求項２】
請求項１に記載の立体画像表示装置であって、
前記相対的な傾きに対し同じ向きの画像データが前記記憶された画像データ中に有るか無いかを判定する判定手段を更に備え、
前記表示制御部は、前記判定手段が画像データ有りと判定したときは、前記記憶された画像データから左眼用画像と右眼用画像を選択し、該判定手段が画像データ無しと判定したとき、前記記憶された画像データを合成して前記視点の向きに合わせた左眼用画像と右眼用画像を生成することを特徴とする立体画像表示装置。
【請求項３】
請求項２に記載の立体画像表示装置であって、前記判定手段は、前記同じ向きの画像データが有るか無いかの判定を、前記相対的な傾きに対する角度が所定閾値未満の画像データが有るか無いかで判定する立体画像表示装置。
【請求項４】
請求項１に記載の立体画像表示装置であって、
前記記憶された画像データは被写体に対し４つの異なる視点から撮像された画像データであり、前記相対的な傾きに対し同じ向きの画像データが前記記憶された画像データ中に有るか無いかを判定する判定手段を更に備え、
前記表示制御部は、該判定手段の結果に応じて、該記憶された画像データから左眼用画像と右眼用画像を生成することを特徴とする立体画像表示装置。
【請求項５】
請求項１乃至請求項４のいずれか１項に記載の立体画像表示装置であって、前記視点検出部が検出した前記閲覧者の右眼が左眼より下側にあるか否かに応じて前記表示制御部は前記左眼用画像と前記右眼用画像を生成する立体画像表示装置。
【請求項６】
請求項１乃至請求項５のいずれか１項に記載の立体画像表示装置であって、
前記表示制御部は、前記視点検出部が前記相対的な傾きの変化を検出したとき、該相対的な傾きの変化に応じて左眼用画像と右眼用画像を生成することを特徴とする立体画像表示装置。
【請求項７】
請求項１乃至請求項６のいずれか１項に記載の立体画像表示装置であって、
前記視点検出部が前記閲覧者として複数人の前記相対的な傾きを検出したとき、該複数人の前記相対的な傾きの平均値を求める平均視点検出手段を更に備え、
前記表示制御部は、該平均値に合わせて左眼用画像と右眼用画像を生成することを特徴とする立体画像表示装置。
【請求項８】
請求項１乃至請求項７のいずれか１項に記載の立体画像表示装置であって、
前記表示制御部は、前記視点検出部が前記複数人の前記相対的な傾きを検出したとき、前記記憶された画像データから前記複数人の該相対的な傾きに応じた左眼用画像と右眼用画像を生成し、該複数人の該相対的な傾きの順番に左眼用画像と右眼用画像を表示することを特徴とする立体画像表示装置。
【請求項９】
請求項８に記載の立体画像表示装置と、前記複数人の各々が掛けている複数の閲覧用保持具とを備えた立体画像表示システムであって、
該複数の閲覧用保持具は、前記表示部の画像を前記複数人の各々の前記相対的な傾きに合わせて別々に制御することを特徴とする立体画像表示システム。
【請求項１０】
請求項４に記載の立体画像表示装置であって、前記４つの視点は正方形に配置される立体画像表示装置。
【請求項１１】
請求項１０に記載の立体画像表示装置であって、前記４つの視点は前記被写体の左斜め上と右斜め上と左斜め下と右斜め下とに配置される立体画像表示装置。
【請求項１２】
請求項１０に記載の立体画像表示装置であって、前記４つの視点は前記被写体の上下左右に配置される立体画像表示装置。
【請求項１３】
平面をなす３つ以上の異なる視点から被写体を撮像した画像データを記憶手段に記憶し、
前記記憶手段に記憶された該画像データに基づいて、左眼用画像と右眼用画像を表示部が表示し、
該表示部を閲覧する閲覧者の左右の眼を結ぶ線と該表示部との相対的な傾きを視点検出部が検出し、
該相対的な傾きに基づいて、該画像データから左眼用画像と右眼用画像を表示制御部が生成する立体画像表示方法。
【請求項１４】
請求項１３に記載の立体画像表示方法であって、
前記相対的な傾きと同じ向きの画像データが前記記憶された画像データ中に有るか無いかを判定手段が判定し、
前記表示制御部は、前記判定手段が画像データ有りと判定したときは、前記記憶された画像データから左眼用画像と右眼用画像を選択し、該判定手段が画像データ無しと判定したとき、前記記憶された画像データを合成して前記視点の向きに合わせた左眼用画像と右眼用画像を生成することを特徴とする立体画像表示方法。
【請求項１５】
請求項１４に記載の立体画像表示方法であって、前記判定手段は、前記同じ向きの画像データが有るか無いかの判定を、前記相対的な傾きに対する角度が所定閾値未満の画像データが有るか無いかで判定する立体画像表示方法。
【請求項１６】
請求項１３に記載の立体画像表示方法であって、
前記記憶された画像データは被写体に対し４つの異なる視点から撮像された画像データであり、前記相対的な傾きと同じ向きの画像データが前記記憶された画像データ中に有るか無いかを判定手段が判定し、
前記表示制御部は、該判定手段の結果に応じて、前記記憶された画像データから左眼用画像と右眼用画像を生成することを特徴とする立体画像表示方法。
【請求項１７】
請求項１３乃至請求項１６のいずれか１項に記載の立体画像表示方法であって、前記視点検出部が検出した前記閲覧者の右眼が左眼より下側にあるか否かに応じて前記表示制御部は前記左眼用画像と前記右眼用画像を生成する立体画像表示方法。
【請求項１８】
請求項１３乃至請求項１７のいずれか１項に記載の立体画像表示方法であって、
前記表示制御部は、前記視点検出部が前記相対的な傾きの変化を検出したとき、該相対的な傾きの変化に応じて左眼用画像と右眼用画像を生成することを特徴とする立体画像表示方法。
【請求項１９】
請求項１３乃至請求項１８のいずれか１項に記載の立体画像表示方法であって、
前記視点検出部が前記閲覧者として複数人の前記相対的な傾きを検出したとき、該複数人の前記相対的な傾きの平均値を平均値視点検出手段が求め、
前記表示制御部は、該平均値に合わせて左眼用画像と右眼用画像を生成することを特徴とする立体画像表示方法。
【請求項２０】
請求項１３乃至請求項１９のいずれか１項に記載の立体画像表示方法であって、
前記表示制御部は、前記視点検出部が前記複数人の前記相対的な傾きを検出したとき、前記記憶された画像データから前記複数人の該相対的な傾きに応じた左眼用画像と右眼用画像を生成し、該複数人の該相対的な傾きの順番に左眼用画像と右眼用画像を表示することを特徴とする立体画像表示方法。
【請求項２１】
請求項２０に記載の前記複数人の各々が掛けている複数の閲覧用保持具を備えた立体画像表示システムの立体画像表示方法であって、
該複数の閲覧用保持具は、前記表示部の画像を前記複数人の各々の前記相対的な傾きに合わせて別々に制御することを特徴とする立体画像表示方法。
【請求項２２】
請求項１６に記載の立体画像表示方法であって、前記４つの視点は正方形に配置される立体画像表示方法。
【請求項２３】
請求項２２に記載の立体画像表示方法であって、前記４つの視点は前記被写体の左斜め上と右斜め上と左斜め下と右斜め下とに配置される立体画像表示方法。
【請求項２４】
請求項２２に記載の立体画像表示方法であって、前記４つの視点は前記被写体の上下左右に配置される立体画像表示方法。